(57)【要約】【課題】飲料水を冷却し又は加熱して供給する飲料水供給装置に関し、使用者が無理な姿勢をとることなく給湯又は給水を行うことができ、操作性を向上させるとともに、安全性を高めた飲料水供給装置を提供する。【課題を解決するための手段】飲料水供給装置２の筐体３の天井側には、飲料水ボトル（ガロンボトル６）の水取出し口１２を下方に向けて載置する載置部６４が配置され、飲料水４を冷却する冷却手段（蒸発器１８、冷却装置２２）、この冷却手段で冷却された飲料水を溜める冷水タンク８、飲料水を加熱する加熱手段（温水ヒータ４２）、この加熱手段で加熱された飲料水を溜める温水タンク４０を備え、筐体の前面側には、上方に向かって傾斜したパネル面７２に少なくとも冷水供給ボタン及び温水供給ボタンを備え、この操作パネル部の下側には、冷水供給口３８、温水供給口５２及び受け部が配置された窓部（給水窓部７６）を備える構成である。【選択図】図２
2011102154.tif 000002
【特許請求の範囲】
【請求項１】
飲料水ボトルから供給される飲料水を冷却し又は加熱し、前記飲料水を冷水又は温水として提供する飲料水供給装置において、
筐体と、
この筐体の天井部に形成され、前記飲料水ボトルの水取出し口を下方に向けて載置する載置部と、
前記載置部に載置された前記飲料水ボトルから供給される前記飲料水を冷却する冷却手段と、
この冷却手段で冷却された前記飲料水を溜める冷水タンクと、
前記飲料水ボトルから供給される前記飲料水を加熱する加熱手段と、
この加熱手段で加熱された前記飲料水を溜める温水タンクと、
前記筐体の前面側に張り出させて設置され、上方に向かって傾斜したパネル面を持ち、少なくとも冷水供給ボタン及び温水供給ボタンを備える操作パネル部と、
この操作パネル部の下側に開口された窓部を前記筐体に形成し、前記冷水タンクの冷水を供給する冷水供給口、前記温水タンクの温水を供給する温水供給口を備えるとともに、前記冷水又は前記温水の受け部を備える飲料水供給部と、
を備えることを特徴とする飲料水供給装置。
【請求項２】
請求項１の飲料水供給装置において、
前記冷却手段及び／又は前記加熱手段を制御する制御手段が前記冷水タンクに隣接して設置されたことを特徴とする飲料水供給装置。
【請求項３】
請求項１の飲料水供給装置において、
前記操作パネル部の背面部と、前記冷水タンクとの間に空間部が形成され、この空間部に前記冷却手段及び／又は前記加熱手段を制御する制御手段が設置されたことを特徴とする飲料水供給装置。
【請求項４】
請求項１の飲料水供給装置において、
前記筐体は、前記操作パネル部の上部側に前記飲料水ボトルの前記水取出し口から前記飲料水を前記冷水タンクに流し込む飲料水取込部を備えることを特徴とする飲料水供給装置。
【請求項５】
請求項１の飲料水供給装置において、
前記筐体は、背面部に前記冷却手段の冷媒を放熱させる放熱部を設置したことを特徴とする飲料水供給装置。
【請求項６】
請求項１の飲料水供給装置において、
前記載置部は、前記飲料水ボトルの側壁の一部又は全部を包囲して前記飲料水ボトルを支持する支持壁を備えることを特徴とする飲料水供給装置。
【請求項７】
請求項１の飲料水供給装置において、
前記載置部は、前記飲料水ボトルの前記水取出し口を挿入する水取出し口挿入部を備えることを特徴とする飲料水供給装置。
【請求項８】
請求項１の飲料水供給装置において、
前記冷却手段は、前記冷水タンクの底部側に周回されて冷媒を循環させる冷媒循環路を備え、前記冷水タンクに供給された前記飲料水を前記冷媒の循環にによって冷却することを特徴とする飲料水供給装置。
【請求項９】
請求項１の飲料水供給装置において、
前記冷水タンクは、前記操作パネル部の高さ位置に設置されていることを特徴とする飲料水供給装置。
【請求項１０】
請求項１の飲料水供給装置において、
前記加熱手段は、前記温水タンクの底部側に周回されたヒータを備え、このヒータの発熱によって前記飲料水を加熱することを特徴とする飲料水供給装置。
【請求項１１】
請求項１の飲料水供給装置において、
前記温水タンクは、前記冷水タンクに供給された前記飲料水の上層部から前記飲料水を導く給水管を通して、給水されることを特徴とする飲料水供給装置。
【請求項１２】
請求項１１の飲料水供給装置において、
前記給水管は、前記冷水タンク内に開口部を備えるとともに、前記冷水タンクの前記飲料水の上層部側を下層部側と分離する分離板を備えていることを特徴とする飲料水供給装置。
【請求項１３】
請求項１の飲料水供給装置において、
前記飲料水供給部の前記受け部は、前記筐体の前面板より突出させたことを特徴とする飲料水供給装置。
【発明の詳細な説明】
【技術分野】
【０００１】
本発明は、冷却した飲料水と加熱した飲料水とを単一の装置で提供する飲料水供給装置に関する。
【背景技術】
【０００２】
従来、ボトルで供給されるミネラルウォーター等の飲料水を冷却し、又は加熱して提供する飲料水供給装置( ウォーターディスペンサー) がある。この飲料水供給装置は、事務所等での飲料水供給だけでなく、一般家庭でも用いられている。
【０００３】
このような飲料水供給装置について、機器の筐体中央部に設置された冷水・温水供給口の下部にコップ等を置き、冷水又は温水の供給栓を開くことで冷水又は温水の給水を行うものが知られている。
【０００４】
このような飲料水供給装置に関し、特許文献１には、冷温水機の正面パネルに給水スイッチ又は給湯スイッチを設け、スイッチを押すことにより、冷水容器又は温水容器に貯留されている冷水又は温水が、給水口又は給湯口から供給されることが開示されている。
【０００５】
また、冷水容器と温水容器とを連通する複数の循環用水路を設け、循環用配管の一部に温水容器と冷水容器との間で温水をポンプで一定時間循環して殺菌すること、また、冷温水機の中央前面側に冷水・温水供給口や給水スイッチ又は給湯スイッチ等を設けた冷温水機の殺菌装置が開示されている。
【先行技術文献】
【特許文献】
【０００６】
【特許文献１】特開２００４−２０６３０１号公報（要約、図３）
【発明の概要】
【発明が解決しようとする課題】
【０００７】
ところで、このように筐体の前面側に冷水・温水供給口や給水スイッチ又は給湯スイッチ等を設けた冷温水機では、給水栓又は給湯栓を開く場合、冷温水機の筐体の大きさや設置高さ等により、使用者が前かがみになる必要があり、操作性が悪い場合がある。また、高温給湯の場合には、上記のように前かがみになっている使用者に対して温水が飛散する恐れもある。また、高温の湯気が給湯操作をしている手に当たり、火傷を負う等の不都合がある。
【０００８】
その他、冷温水機を長期間継続して使用した場合、温水容器内は高温状態に保たれているため雑菌等が繁殖し難いが、冷水容器内は、外部から持ち込まれた雑菌等が繁殖する可能性があり、一定期間毎に適温で清浄化処理を行う必要がある。
【０００９】
このような不都合について、特許文献１には開示や示唆は無く、それを解決する構成等についての記載もない。
【００１０】
そこで、本発明の目的は、給水・給湯操作の操作性・安全性を高めた構成を備え、利便性の高い飲料水供給装置を提供することにある。
【００１１】
また、本発明の他の目的は、飲料水の冷却及び加熱を行う飲料水供給装置の清浄化処理に関し、加熱した温水側の飲料水を利用し、簡易な構成による飲料水供給装置の清浄化処理の適正化を図るとともに、ユーザへの飲料水の供給を妨げることなく清浄化が実施可能な構成を備えることを目的とする。
【課題を解決するための手段】
【００１２】
上記目的を達成するため、本発明の飲料水供給装置は、前面側を張り出させた筐体の上方に傾斜した面に操作パネル部を配置し、この操作パネル部の下側に給水又は給湯を行う窓部を備えることにより、使用者が姿勢をとることなく給湯操作又は給水操作を行え、操作性や安全性を高めている。
【００１３】
そこで、上記目的を達成するため、この飲料水供給装置は、飲料水ボトルから供給される飲料水を冷却し又は加熱し、前記飲料水を冷水又は温水として提供する飲料水供給装置において、筐体と、この筐体の天井部に形成され、前記飲料水ボトルの水取出し口を下方に向けて載置する載置部と、前記載置部に載置された前記飲料水ボトルから供給される前記飲料水を冷却する冷却手段と、この冷却手段で冷却された前記飲料水を溜める冷水タンクと、前記飲料水ボトルから供給される前記飲料水を加熱する加熱手段と、この加熱手段で加熱された前記飲料水を溜める温水タンクと、前記筐体の前面側に張り出させて設置され、上方に向かって傾斜したパネル面を持ち、少なくとも冷水供給ボタン及び温水供給ボタンを備える操作パネル部と、この操作パネル部の下側に開口された窓部を前記筐体に形成し、前記冷水タンクの冷水を供給する冷水供給口、前記温水タンクの温水を供給する温水供給口を備えるとともに、前記冷水又は前記温水の受け部を備える飲料水供給部とを備える構成である。斯かる構成により、給湯又は給水時の操作性及び安全性が高められ、上記目的を達成することができる。
【００１４】
上記目的を達成するためには、上記飲料水供給装置において、好ましくは、前記冷却手段及び／又は前記加熱手段を制御する制御手段が前記冷水タンクに隣接して設置してもよく、また、前記操作パネル部の背面部と、前記冷水タンクとの間に空間部が形成され、この空間部に前記冷却手段及び／又は前記加熱手段を制御する制御手段が設置してもよい。また、前記筐体は、前記操作パネル部の上部側に前記飲料水ボトルの前記水取出し口から前記飲料水を前記冷水タンクに流し込む飲料水取込部を備えてもよく、また、前記筐体は、背面部に前記冷却手段の冷媒を放熱させる放熱部を設置してもよく、また、前記載置部は、前記飲料水ボトルの側壁の一部又は全部を包囲して前記飲料水ボトルを支持する支持壁を備えてもよく、また、前記載置部は、前記飲料水ボトルの前記水取出し口を挿入する水取出し口挿入部を備えてもよく、また、前記冷却手段は、前記冷水タンクの底部側に周回されて冷媒を循環させる冷媒循環路を備え、前記冷水タンクに供給された前記飲料水を前記冷媒の循環にによって冷却してもよく、また、前記冷水タンクは、前記操作パネル部の高さ位置に設置してもよく、また、前記加熱手段は、前記温水タンクの底部側に周回されたヒータを備え、このヒータの発熱によって前記飲料水を加熱してもよく、また、前記温水タンクは、前記冷水タンクに供給された前記飲料水の上層部から前記飲料水を導く給水管を通して、給水されてもよく、また、前記給水管は、前記冷水タンク内に開口部を備えるとともに、前記冷水タンクの前記飲料水の上層部側を下層部側と分離する分離板を備えてもよく、また、前記飲料水供給部の前記受け部は、前記筐体の前面板より突出させてもよい。斯かる構成によっても、上記目的を達成することができる。
【発明の効果】
【００１５】
本発明によれば、次の効果が得られる。
【００１６】
(1) 飲料水の温度設定や給水・給湯操作等を行う操作板を筐体に形成した傾斜部に配置することで、飲料水供給装置の使用時に、使用者が無理な姿勢をとることなく給湯又は給水を行うことができ、操作性を向上させることができる。
【００１７】
(2) また、上記のような配置構成により、出湯時に発生する湯気等が使用者に当たるることがなく、安全性の向上を図ることができる。
【００１８】
(3) また、清浄化処理時に冷水タンク内の水の温度を監視し、設定した条件に達しない場合には報知する構成とすることで、清浄化に必要な温度に維持させることができ、清浄化処理の適正化を図ることができる。
【００１９】
その他、本発明の他の目的、特徴及び利点は、添付図面及び各実施の形態等を参照することにより、一層明確となる。
【図面の簡単な説明】
【００２０】
【図１】飲料水供給装置の構成を示す図である。
【図２】飲料水供給装置の外観構成を示す図である。
【図３】冷水タンクの外観構成を示す図である。
【図４】表示・操作部の一例であるパネルの構成を示す図である。
【図５】制御装置の構成例を示す図である。
【図６】清浄化処理時の飲料水の流れ方向を示す図である。
【図７】制御動作の処理手順を示すフローチャートである。
【図８】制御動作の処理手順を示すフローチャートである。
【図９】サブルーチンである高温水循環による清浄化の処理手順を示すフローチャートである。
【図１０】冷水タンク及び周辺の構成を示す部分断面図である。
【図１１】飲料水供給装置の外観構成を示す正面図である。
【図１２】飲料水供給装置の右側面の構成を示す図である。
【図１３】飲料水供給装置の背面側の構成を示す図である。
【図１４】飲料水供給装置の本体に構成されたガロンボトルの載置部の構成を示す図である。
【図１５】飲料水供給装置の内観図である。
【図１６】バックインボックスを用いた例を示す図である。
【発明を実施するための形態】
【００２１】
〔第１の実施の形態〕
【００２２】
本発明に係る飲料水供給装置の第１の実施の形態について、図１及び図２を参照する。図１は、飲料水供給装置の構成を示す図、図２は、飲料水供給装置の外観構成を示す図
である。なお、図１及び図２に示す飲料水供給装置の構成は一例であって、これに限定されるものではない。
【００２３】
この飲料水供給装置２は、飲料水４を所定の温度に加熱又は冷却して提供する装置である。この飲料水供給装置２の筐体３の天井側には、飲料水４が入った飲料水ボトルであるガロンボトル６が設置されている。このガロンボトル６に溜められている飲料水４は、第１のタンクである冷水タンク８の天井側の筐体３に形成された受水口１０から取り込まれる。このガロンボトル６は、図１に示すように、その水取出し口１２を下方に向けて飲料水供給装置２に載置される。
【００２４】
ガロンボトル６から供給された飲料水４は、冷水タンク８内の所定の水位として、例えば、冷水タンク８内に溜まった飲料水４がガロンボトル６の開口部である水取出し口１２に達するまで溜まる構成である。そして、飲料水４の水位が所定の水位以下になると、空気取入口１４から取込まれた空気が、冷水タンク８を通して水取出し口１２よりガロンボトル６内に進入する。この空気の進入によって、ガロンボトル６から飲料水４が冷水タンク８に供給され、その水位が上昇する。そして、再び水取出し口１２が塞がると、ガロンボトル６からの飲料水４の流入が停止される。即ち、冷水タンク８には飲料水４の消費に応じてガロンボトル６から飲料水４が供給されることになる。
【００２５】
冷水タンク８には、溜まった飲料水４を上下層に区切る分離板１６が設置され、冷水タンク８にある飲料水４は、この分離板１６によって上層部と下層部とに仕切られる。冷水タンク８の下層部側には飲料水４の冷却手段である蒸発器１８が設置され、分離板１６で区切られた下層部側に溜まっている飲料水４が冷却される。そして、この分離板１６で冷水タンク８内を区切り、冷却した下層側の飲料水４と上層側の未冷却の飲料水４との接触を減らすことで、冷却した飲料水４が温水によって温められるのを防止でき、省エネを図ることができる。
【００２６】
冷水タンク８には第１の温度検出手段である冷水センサ２０が設置され、冷水タンク８内の飲料水４の温度を検出している。この検出温度に基づいて冷却手段の動作制御を行う他、例えば、後述する飲料水供給装置２の清浄化処理にも利用する。
【００２７】
飲料水４の冷却手段である蒸発器１８は、筐体３の底部に設置された冷却装置２２に接続されている。この冷却装置２２は、例えば圧縮機２４、乾燥器２６、凝縮器２８が冷媒管３０によって連結され、この冷媒管３０の中途部にはキャピラリーチューブ３２が設置されている。即ち、この冷却装置２２は、冷水タンク８の底部側に周回させた冷媒管３０との間に冷媒管３０を通して冷媒循環路を構成し、冷媒を循環させることで冷水タンク８内の飲料水４を冷却している。
【００２８】
冷水タンク８の底部側には冷水電磁弁３４を備えた冷水供給管３６が接続されており、後述する操作部への給水指示により、冷水電磁弁３４が開かれ、冷水タンク８内の冷えた飲料水４が冷水供給口３８から供給される。
【００２９】
また、冷水タンク８の下側には、第２のタンクである温水タンク４０が設置されている。この温水タンク４０の中央部又は底部側には加熱手段として、温水ヒータ４２を周回されて設置されており、温水タンク４０内の飲料水４を加熱している。
【００３０】
この温水タンク４０への飲料水４の供給は、冷水タンク８を介して行う。具体的には、冷水タンク８内に設置した分離板１６の中央に開口部４４を設けている。そして、温水タンク４０に飲料水４を供給する給水管４６の一端を温水タンク４０に配置し、他の一端を冷水タンク８を通過させて、既述の開口部４４に合わせるように配置する。斯かる構成により、冷水タンク８内の上層部側にある飲料水４が分離板１６の開口部４４から給水管４６に流入して、温水タンク４０内に溜まる。
【００３１】
温水タンク４０の上部には温水電磁弁４８が設置された温水供給管５０が接続されており、この温水電磁弁４８が開かれたとき、温水タンク４０内の飲料水４が温水供給口５２から供給される。そして、温水供給口５２から供給された分の飲料水４が冷水タンク８から給水管４６を通して温水タンク４０に供給され、冷水タンク８の水位低下分の飲料水４がガロンボトル６から供給される。
【００３２】
温水タンク４０には第２の温度検出手段である温水センサ５４が設置され、飲料水４の温度を検出している。この検出温度についても、冷水タンク８内の水温の場合と同様に、給湯温度の制御判断等に利用する。また、温水タンク４０の底部には排水栓５６を備えた排水管５８が接続されており、この排水栓５６の開閉により、飲料水供給装置２内の水等の排出を行う。
【００３３】
なお、上記の冷水センサ２０や温水センサ５４は、飲料水４等の温度検出が行えるものであればどのような構成でもよく、例えば、サーミスタ温度計等を利用する構成であってもよい。
【００３４】
また、冷水タンク８の底部と温水タンク４０の天井部との間には、バイパス弁６０を備えたバイパス管６２が設置されている。このバイパス管６２は、例えば、後述する清浄化処理等において、バイパス弁６０が開放されることにより、温水タンク４０内の加熱された飲料水４を冷水タンク８に循環する循環通路として用いられる。
【００３５】
なお、図１に示すように、冷水タンク８内において、温水タンク４０への給水口である給水管４６を分離板１６に接続することで、開口部４４とバイパス管６２の出口との距離を取るように構成している。斯かる構成により、例えば、飲料水４の循環処理を行う場合に、バイパス管６２と給水管４６との間で、ショートサイクルによる循環を防止している。
【００３６】
次に、飲料水供給装置２へのガロンボトル６の載置等ついて説明する。筐体３の天井部には、ガロンボトル６を載置するための載置部６４が構成されている。また、この載置部６４には、図１に示すように、飲料水供給装置２の内部側に向かって、ガロンボトル６を支持する支持壁６６が構成されており、載置されたガロンボトル６の側壁の一部又は全部を包囲している。この支持壁６６は、ガロンボトル６の水取出し口１２周辺の形状に合わせて構成されており、例えば、円筒状に形成されている。即ち、受水口１０は、この支持壁６６によって形成されている。また、冷水タンク８の天井部には、受水口１０の位置に合わせて突起６８が設置されている。この突起６８は、ガロンボトル６の水取出し口１２を挿入する水取出し挿入部であり、後述するように、ガロンボトル６から冷水タンク８への飲料水４の流入を制御している。斯かる構成により、支持壁６６は、ガロンボトル６を飲料水供給装置２に対して、所定の位置に載置させている。
【００３７】
この飲料水供給装置２の制御手段として制御装置７０が設置されている。この制御装置７０には、飲料水供給装置２に供えられた各種センサや各電磁弁等が接続されている。斯かる構成により、冷水センサ２０及び温水センサ５４による検出温度に基づいて飲料水４の温度制御を行う他、給水又は給湯指示や温度設定、後述する清浄化処理等を実行する。
【００３８】
飲料水供給装置２は、図２に示すように、筐体３の上部にガロンボトル６の載置部６４が形成され、ガロンボトル６をセットして飲料水４を供給する。この筐体３の正面上部の一部を前面側に張り出すように形成し、この張り出し部分には上方に向かって傾斜したパネル面７２が形成されている。そして、このパネル面７２には飲料水供給装置２への給水又は給湯への指示入力を行う他、飲料水供給装置２の運転情報や温度情報等を表示する操作パネル部及び表示パネル部である表示・操作部７４が設置されている。
【００３９】
筐体３のパネル面７２の下側には、給水窓部７６が形成されている。そして、この給水窓部７６の内部には、既述の冷水供給口３８及び温水供給口５２が設置されている。また、給水窓部７６内の底面には、コップ等が載置できる受け部７８が形成されている。斯かる構成により、飲料水供給装置２の使用時には、載置部７８に設定された給水又は給湯位置にコップ等を置き、表示・操作部７４に設定された給水ボタン又は給湯ボタンを操作して、コップ内に飲料水４を得ることができる。即ち、この表示・操作部７４は、所定の角度を持っているので、飲料水供給装置２のユーザの目線の高さによって、表示が見え難くなるのを防止でき、また、給湯時に発生する湯気が操作中の手や腕に当たるのを防ぐことができる。
【００４０】
次に、冷水タンクの構成について、図３を参照する。図３は、冷水タンクの構成例を示し、図３Ａは、冷水タンクの外観構成を示す正面図、図３Ｂは、冷水タンク内部を示す平面図である。図３において、図１と同一部分には同一符号を付し、説明を省略する。なお、図３に示す冷水タンクは一例であって、これに限定されるものではない。
【００４１】
冷水タンク８の下部側の周囲には、冷却手段である蒸発器１８が設置され、この蒸発器１８の中部に冷媒を循環させている。これにより、例えば、循環している冷媒が気化する際に冷水タンク８内の熱を奪うことで飲料水４を冷却する。
【００４２】
また、冷水タンク８の側面側には、飲料水４の温度を検出する冷水センサ２０が設置されている。この冷水センサ２０による検出温度は、制御装置７０に送られ、冷却装置２２の動作制御に利用される。さらに、冷水タンク８の下部には、温水タンク４０へと飲料水４を供給する給水管４６が設置されている。これにより、温水タンク４０内の飲料水４の減少に応じて、飲料水４が供給される。
【００４３】
また、図３Ｂに示すように、冷水タンク８内には分離板１６が供えられており、この分離板１６の中央部には、温水タンク４０側へと飲料水４を流すための給水管４６が接続された開口部４４が形成されている。また、冷水タンク８の底部には、温水タンク４０との間で飲料水４を循環させるバイパス管６２が接続されている。これにより、冷水タンク８と温水タンク４０との間で飲料水４を循環させる場合に、バイパス管６２と給水管４６との間でショートサイクルとなるのを防止できる。その他、冷水タンク８の底部には、冷却された飲料水４を給水するための冷水供給管３６が接続されている。
【００４４】
次に、表示・操作部について、図４を参照する。図４は、表示・操作部の一例を示し、図４Ａは、表示・操作部の一例であるパネルの構成を示す図、図４Ｂは、表示部の表示内容の一例を示す図である。図４の表示・操作部の構成は一例であって、これに限定されるものではない。
【００４５】
この表示・操作部７４には、図４Ａに示すように、時刻等を表示する表示部１００が中央上部側に配置されている。この表示部１００は、例えば、ＬＣＤ（Liquid Crystal Display) で構成されており、図４Ｂに示すように、時計・タイマー時間表示部１０２、タイマー表示部１０４、ステージ表示部１０６、開始表示部１０８、終了表示部１１０が設定されている。この時計・タイマー時間表示部１０２には、通常の時計表示の他、後述する清浄化処理や省エネモードの開始時間等の設定内容を表示する。
【００４６】
また、表示・操作部７４の中央側には、例えば、予約設定等を行う設定操作部として、設定時刻等の値を加算するための加算スイッチ（ＳＷ）１１２、値を減算するための減算スイッチ（ＳＷ）１１３が中央部に配置されており、その両側には、設定モードヘの切替えやその解除を行うための設定スイッチ（ＳＷ）１１４、省エネモードヘの切替えやその解除を行うための省エネスイッチ（ＳＷ）１１６、この省エネＳＷ１１６のＯＮ／ＯＦＦを表示する省エネ操作表示部１１８、タイマーや時刻を調整するためのタイマー／時計スイッチ（ＳＷ）１２０、スタート又はストップを行うためのスタート／ストップスイッチ（ＳＷ）１２２が配置されている。そして、これらのスイッチ類の下側には、後述する高温水循環による清浄化処理中であることをユーザに報知する自動高温水循環モード表示部１２４が配置されている。
【００４７】
表示・操作部７４の両端には、例えば、供給温度設定を行う操作部を配置している。強制温度変更スイッチの一例として、通常運転とは異なる高温設定の指令又はその解除を行うための高温設定スイッチ（ＳＷ）１２６、通常運転とは異なる冷水設定の指令又はその解除を行うための冷水設定スイッチ（ＳＷ）１２８が配置されている。また、高温設定スイッチ１２６の近傍には、第１の運転モードとして通常運転時の設定温度（例えば、８５〔℃〕）が点灯して表示する通常温度表示部１３０、強制高温時に点灯によって表示する高温表示部１３２が設置され、これらはＬＥＤ（Light Emitting Diode）等のランプで構成されている。冷水設定スイッチ１２８の近傍には、第１の冷水設定温度（例えば、8 〔℃〕）であることを表示する温度表示部１３４、第２の冷水設定温度（例えば、１２〔℃〕）であることを点灯によって表示する温度表示部１３６が設置され、これらもＬＥＤ等のランプで構成されている。
【００４８】
また、表示・操作部７４の下部側には、例えば、給水及び給湯の運転操作部として、給湯を指令するための給湯ボタンである給湯スイッチ（ＳＷ）１３８、給水を指令するための給水ボタンである給水スイッチ（ＳＷ）１４０が配置され、その給湯ＳＷ１３８と給水ＳＷ１４０との間に、給湯や給水のロック解除を指令するためのロック解除スイッチ（ＳＷ）１４２及びその操作を表示するロック解除操作表示部１４４が設置されている。
【００４９】
次に、飲料水供給装置の動作内容に合わせて表示・操作部７４の構成を説明する。
【００５０】
Ａ  初期状態
【００５１】
電源投入時、飲料水４を冷水化する冷却装置２２をＯＮ状態（設定温度：８〔℃〕) 、飲料水４を温水化する温水ヒータ４２に対する給電制御（例えば、ＯＮ／ＯＦＦ制御）をＯＦＦ状態にする。この場合、給湯を優先させるため、ロック解除ＳＷ１４２、給湯ＳＷ１３８の操作を受け付ける。初期エアー抜き使用の場合である。但し、温水ヒータ４２に対する給電制御がＯＦＦ状態での上記内容は、温水センサ５４の検出温度即ち、温水温度が所定温度として例えば、４０〔℃〕以下の場合とする。
【００５２】
表示部１００の時計表示では、時と分とが" −−: −−”の点滅表示によって表示され、加算ＳＷ１１２、減算ＳＷ１１３、設定ＳＷ１１４の押下により、その時刻を確定させる。
【００５３】
温水ヒータ４２の給電制御はスタート／ストップＳＷ１２２の例えば、長押しによって実行され、給電制御のＯＦＦ状態で長押しの時間として例えば、２〔秒〕押下することにより、ＯＮ動作の設定温度として例えば、８５〔℃〕設定となる。ＯＮ状態で長押し時間) として例えば、２〔秒〕押下すると、ＯＦＦ状態となる。但し、サーミスタによる温水センサ５４では、自己発熱の特性を利用し、水の有無を判断し、温水ヒータ４２の給電制御のＯＮ／ＯＦＦを動作するようにすることもできる。
【００５４】
温水ヒータ４２の給電制御をＯＦＦ状態からＯＮ状態に移行させると、省エネモードはＯＦＦ状態になる。停電状態から給電状態への復帰時も同上の制御を行う。但し、省エネモードの時刻設定がされていた場合は、時間を記憶部１５６（図５）に記憶する。
【００５５】
時刻の設定方法は時計表示モードによって実行され、また、省エネモードの時刻設定方法は省エネ時刻設定モードによって実行される。
【００５６】
Ｂ  給水動作
【００５７】
給水ＳＷ１４０を押下許可状態（ロック解除）にて連続して押下すると、冷水電磁弁３４が開状態に制御され、給水が行われる。この冷水電磁弁３４は、給水ＳＷ１４０を押している間のみ開状態に制御され、この給水ＳＷ１４０が押されている間、給湯ＳＷ１３８の操作を受け付けない。給水と給湯とを同時に行わないため、安全性が確保される。
【００５８】
Ｃ  冷水切換え動作
【００５９】
冷水設定ＳＷ１２８を連続して押下すると、冷水温度の設定が変更される。例えば、押下を連続すると、設定温度が８〔℃〕→１２〔℃〕→８〔℃〕→・・・のように変更される。
【００６０】
Ｄ  ロック解除動作
【００６１】
ロック解除ＳＷ１４２を押下すると、給湯ＳＷ１３８及び給水ＳＷ１４０のロックが解除され、その押下が許可される。このとき、ロック解除ＳＷ１４２上に設定されたロック解除表示部１４４が例えば、赤色点灯し、ロック解除状態であることが表示される。このロック解除状態は有限であり、例えば、１０秒間の間に給湯ＳＷ１３８の操作がなかった場合にはロック解除を無効とし、ロック解除表示部１４４を消灯させ、ロック状態であることを表示する。
【００６２】
ロック解除中、再度、ロック解除ＳＷ１４２を押下すると、ロック解除が無効となり、ロック解除表示部１４４が赤色点灯から消灯となり、ロック状態に移行する。
【００６３】
ロック解除中、給湯ＳＷ１３８又は給水ＳＷ１４０が押下されると、給湯ＳＷ１３８又は給水ＳＷ１４０のＯＦＦから例えば、１０秒後にロック解除機能は無効となり、ロック解除表示部１４４は消灯する。
【００６４】
Ｅ  給湯動作
【００６５】
給湯ＳＷ１３８が押下許可状態（ロック解除）にて、連続して押下されると、温水電磁弁４８が開状態に制御され、給湯が行われる。温水電磁弁４８は、給湯ＳＷ１３８を連続して押下されている間、開状態となる。給湯ＳＷ１３１８が押下されている間は、給水ＳＷ１４０の押下は受け付けない。即ち、給湯ＳＷ１３８と給水ＳＷ１４０とは先押し優先処理を行う。
【００６６】
Ｆ  高温設定動作
【００６７】
高温設定ＳＷ１２６は、温水ヒータ４２に対する給電制御がＯＮ状態にて押下されることにより、その押下の１回のみの操作によって所定高温度例えば、９３〔℃〕まで沸き上げる。この沸き上げ後、温水温度が所定温度例えば、９０〔℃〕までは高温設定の適温範囲とする。その後、所定温度として例えば、８５〔℃〕の温度設定となる。その沸き上げ中では、高温表示部１３２を橙色に点灯させるとともに、沸き上げ完了温度として例えば、９３〔℃〕に到達させ、その到達時点で報知手段であるブザー１６６（図５）を所定時間として例えば、１０秒間報知させ、高温表示部１３２を緑色に点灯させるとともに、温水ヒータ４２に対する給電をＯＦＦ状態に移行させ、高温範囲（〜９０〔℃〕）にある場合、高温表示部１３２を点灯させる。
【００６８】
高温沸き上げ中、高温設定ＳＷ１２６の押下があった場合には高温沸き上げ動作を中止する。また、沸き上げ後、温水ヒータ４２に対する給電をＯＦＦ状態にし、再度、高温設定ＳＷ１２６の押下があった場合、所定温度として、既述の高温度である９３〔℃〕まで沸き上げる。この場合、温水の温度が９３〔℃〕未満、９０〔℃〕以上の場合でも、高温表示部１３２の橙色点灯とする。また、沸き上げ後、９０〔℃〕未満で８５〔℃〕までの場合には、通常温度表示部１３０を緑色点灯させ、８５〔℃〕の適温範囲であることを表示する。
【００６９】
Ｇ  省エネ動作
【００７０】
温水ヒータ４２に対する給電制御がＯＦＦ状態の場合には省エネＳＷ１１６の押下を受け付けない。温水ヒータ４２に対する給電がＯＮ状態で省エネＳＷ１１６が押下されると、省エネモードとなり、省エネ表示部１１８が橙色点灯し、省エネモードの実行中であることを表示する。省エネモード時、省エネＳＷ１１６を押下すると、省エネモード解除となり、省エネ表示部１１８が消灯する。
【００７１】
なお、省エネモードが実行中で、且つ時刻が省エネ時間帯の場合は、省エネが実施され、省エネ表示部１１８は緑色点灯となる。
【００７２】
Ｈ  タイマー／時計動作
【００７３】
時計表示状態において、タイマー／時計ＳＷ１２０が押下されると、その表示がタイマー表示となり、タイマーモードに移行する。タイマーモードにおいて、タイマー／時計ＳＷ１２０が押下されると、表示が時計表示となる。但し、タイマー１６０（図５）がカウントダウンしている場合には、そのカウントダウンは継続される。
【００７４】
Ｉ  加算動作、減算動作、スタート／ストップ動作、設定動作
【００７５】
時刻変更モード中及びタイマー表示切替え時、加算ＳＷ１１２、減算ＳＷ１１３が連続して押下されると、時刻及びタイマーの時間が変更される。
【００７６】
タイマー表示（待機）中、スタート／ストップＳＷ１２２が押下されると、タイマー１６０（図５）がスタートとなる。タイマー１６０のカウントダウン中、スタート／ストップＳＷ１２２が押下されると、カウントダウン停止となり、再度の押下により、カウントダウンが再スタートされる。
【００７７】
設定ＳＷ１１４が押下されると、時刻設定時の確定及び省エネモードの開始、開始後の押下はそれらの終了となり、押下に応じた切替えが行われる。
【００７８】
Ｊ  時計表示
【００７９】
電源のＯＮ状態により時計表示が生起し、タイマー／時計ＳＷ１２０の連続押下で時刻設定モードとなる。時計表示が点滅状態となり、この状態で加算ＳＷ１１２又は減算ＳＷ１１３にて表示が変更され、設定ＳＷ１１４の押下、又は所定時間の経過例えば、１０秒間の操作なし状態の継続により、その設定を確定させる。時刻設定モード中、加算ＳＷ１１２を押下すると、１２：０１→１２：０２→１２：０３・・・、さらに連続押しで１２：１０→１２：２０→１２：３０・・・１３：００→１３：３０→１４：００・・・１５：００→１６：００に表示が変更される。時刻設定モード中、減算ＳＷ１１３を押下すると、１１：５９→１１：５８→１１：５７・・・、連続押下で１１：５０→１１：４０→１１：３０・・・１１：００→１０：３０→１０：００・・・９：００→８：００となる。
【００８０】
Ｋ  タイマー機能
【００８１】
タイマー／時計ＳＷ１２０が押下されると、表示部１００がタイマー表示となる。時計表示では、時、分だが、タイマー表示は、分、秒となる。この場合、初期設定は、既述の３．００である。タイマー時間の最大は例えば、６０〔分〕であり、タイマー表示（待機) 中、加算ＳＷ１１２、減算ＳＷ１１３を押下することにより、分表示が変更される。加算ＳＷ１１２を押下すると、３→３．３０→４→４．３０→５→・・・１０→１１となり、以降は連続的に最大６０分まで変わり、時計と同様である。また、減算ＳＷ１１３を押下すると、３→２．３０→２→１．３０→１→０．３０→０となる。スタート／ストップＳＷ１２２を押下すると、タイマー１６０がカウントダウンする。カウントダウン中でも、加算ＳＷ１１２、減算ＳＷ１１３を押下することで分表示の変更が可能である。タイマー１６０が０：００に移行したとき、ブザー１６６を所定時間例えば、１０秒間鳴動させる。
【００８２】
Ｌ  省エネ時間設定
【００８３】
省エネ時間は例えば、2 ステージまで設定可能とする。時間の設定方法は時刻設定と同様である。第１のステージ又は第２のステージが設定されていれば、省エネモードとなる。
【００８４】
(1) 時計表示状態及び温水ヒータ４２に対する給電制御をＯＮ状態にて、省エネＳＷ１１６を押下すると、表示部１００には第１のステージを表す「ステージ１」及び「開始」が表示される。例えば、初回は、時刻表示を" −−：−−" とし、2 回目以降は、現在設定時刻とすればよい。
【００８５】
この状態にて、設定ＳＷ１１４を押下すると、表示部１００には「ステージ１」及び「終了」の表示から、第２のステージを表す「ステージ２」及び「開始」、「ステージ２」及び「終了」に移行する。
【００８６】
(2) 加算ＳＷ１１２又は減算ＳＷ１１３を押下することにより時刻設定ができ、操作は時刻設定と同様である。
【００８７】
(3) 設定ＳＷ１１４を押下することにより設定内容が確定される。各操作中にＳＷ操作がない状態又は操作終了後、１０秒後に時計表示に戻る。また、設定をキャンセル（クリアー）したい場合は、キャンセルしたいステージ（開始又は終了のどちらでも可）に設定ＳＷ１１４で合わせ、加算ＳＷ１１２、減算ＳＷ１１３を同時押しする。このとき、表示は" −−−−" となり、設定ＳＷ１１４を押下すれば、その内容を確定させることができる。
【００８８】
次に、制御装置の構成について、図５を参照する。図５は、制御装置の構成例を示す図である。図５において、図1 、図２、図４と同一部分には同一符号を付している。なお、この制御装置の構成は、一例を挙げるものであり、これに限定されるものではい。
【００８９】
この制御装置７０は、マイクロコンピュータ等からなる制御部１５０で構成されており、この制御部１５０は、表示・操作部７４に接続している。制御部１５０は、プロセッサ１５２、Ｉ／Ｏ部１５４、記憶部１５６、ＲＡＭ（Random Access Memory）１５８、タイマー１６０等で構成され、これらはバス１６２を介して接続されている。
【００９０】
プロセッサ１５２はＣＰＵ（Central Processing Unit ）又はＭＰＵ（Micro Processor Unit）で構成され、記憶部１５６に格納されているＯＳ（Operating System）や動作プログラムを実行する。Ｉ／Ｏ部１５４は、制御部１５０の入出力のインターフェースであって、例えば、冷水センサ２０、温水センサ５４からの検出温度情報を取り込む他、このＩ／Ｏ部１５４に接続された温水ヒータ４２、温水電磁弁４８、冷水電磁弁３４、圧縮機２４、バイパス弁６０等に対して、動作制御信号を送出している。また、表示・操作部７４と接続し、既述の各動作入力操作を取り込むとともに、表示部１００等への表示制御信号を送出している。
【００９１】
記憶部１５６は、ＲＯＭ（Read Only Memory）で構成され、プロセッサ１５２に実行させるＯＳや、飲料水供給装置２の動作プログラムや後述する高温水循環処理等に関する動作プログラムを記憶するプログラム記憶部として機能する他、各種、検出温度情報等を記憶するようにしてもよい。また、ＲＡＭ１５８は、上記の動作プログラムを処理するワーキングエリアとして機能する。タイマー１６０は計時手段及び時計手段であって、例えば、後述する清浄化処理において、清浄化のインターバルタイマー、異常判定タイマー、清浄化時間計測用のタイマーとして時刻情報を取得する他、制御に必要な時間計測を行う。
【００９２】
また、この制御装置１５０には、飲料水供給装置２の給電制御を行う電源部１６４や、動作異常等の場合の報知手段として、ブザー１６６等が接続されている。
【００９３】
次に、高温水循環による清浄化処理に関し、飲料水供給装置内の飲料水の循環について、図６を参照する。図６は、清浄化処理時の飲料水４の流れ方向を示す図である。図６において、図１と同一部分には同一符号を付してある。
【００９４】
冷水タンク８内の飲料水４の清浄化は、温水タンク４０内の高温の飲料水４を利用して行う。即ち、冷水タンク８と温水タンク４０との間で、冷水タンク８内の飲料水４と温水タンク４０内の飲料水４との温度差により生じる熱対流を利用して循環させ、冷水タンク８内の飲料水４の温度を清浄化に必要な温度まで上昇させる。
【００９５】
そこで、冷水タンク８内の飲料水４の温度を上昇させるため、飲料水４の冷却手段である圧縮機２４を停止させるとともに、温水ヒータ４２への給電制御をＯＮさせ、温水タンク４０内の飲料水４を加熱する。そして、温水センサ５４の温度検出により、温水タンク４０内の飲料水４の温度が所定温度Ｔｈ以上になるまで加熱を行う。
【００９６】
バイパス管６２に設けられたバイパス弁６０を開き、温水タンク４０、バイパス管６２、冷水タンク８、給水管４６の間で循環回路を形成すると、バイパス管６２を通じて高温の飲料水４が冷水タンク８へと流入するとともに、冷水タンク８内の低温の飲料水４が給水管４６を通って温水タンク４０内へと流入する（図６の実線矢印Ａ）。
【００９７】
冷水タンク８内の水温を検出する冷水センサ２０は、バイパス管６２から離れた位置に設置されており、例えば、冷水タンク８内の一部分のみで温水が循環してショートサイクルが発生した場合に、計測時間と検出温度変化等から、高温水の循環異常を検知することができる。
【００９８】
なお、熱対流による温水の循環方向は、図６の実線矢印Ａの方向に限られず、破線矢印Ｂに示すように、高温の飲料水４が給水管４６を通って冷水タンク８へと流入し、バイパス管６２を通じて冷水タンク８内の低温の飲料水４が温水タンク４０内へと流入する場合もある。斯かる場合でも、冷水タンク８内の清浄化処理を行うことができる。
【００９９】
温水タンク４０内の飲料水４の温度を温水センサ５４が検出し、所定温度Ｔｈとして例えば９３〔℃〕以上である場合には、温水ヒータ４２を停止させる。
【０１００】
斯かる構成により、冷水タンク８内の飲料水４に対し、簡易な構成で清浄化に適した温度に維持させることができ、また、所定時間が経過しても必要温度に達しない場合には、清浄化の処理に異常があることを報知するので、十分な清浄化処理を行うことができる。      
【０１０１】
次に、この飲料水供給装置の制御動作について、図７及び図８を参照する。図７及び図８は、制御動作の処理手順を示すフローチャートである。図７及び図８において、Ａ、Ｂはフローチャート間の連結子である。
【０１０２】
この処理手順は、電源の投入後の初期設定処理の後、冷水タンク８内にある飲料水４の清浄化処理を、所定の時間条件に応じて行う制御手順であって、基本的に電源が入っている間、繰り返し実行される。
【０１０３】
飲料水供給装置２の電源を投入し、各部の初期設定等の他、高温水循環による清浄化処理の実施間隔をカウントするインターバルタイマーとして例えば、タイマー１６０に初期値として７２時間を設定し（ステップＳ１）、カウントダウンを開始する（ステップＳ２）。
【０１０４】
次に、ユーザ等が省エネモードの時間設定をしているか否かの判断をする（ステップＳ３）。即ち、高温水循環処理の実行タイミングとして、この省エネモードの実行時に行う構成である。この省エネモードは、例えば、深夜帯等、ユーザが飲料水供給装置２を使用しない、若しくは使用量が少ない時間帯に冷水及び温水の保温設定温度を変更して、省エネを図る処理である。既述のように、高温水循環処理中は飲料水供給装置２が使用できなくなるため、この省エネモードの設定時間等、ユーザの使用量が少ない時間帯に高温水循環処理を行えば、ユーザへの飲料水４の供給を妨げることが無く、利便性がよい。
【０１０５】
省エネモードの時間設定がされている場合（ステップＳ３のＹＥＳ）には、現在の時刻情報を例えば、タイマー１６０や既述のタイマー／時計ＳＷ１２０に接続された内蔵の時計機能や外部の時計機能等から取得し、現在の時刻が省エネモードの時間帯であるか否かの判断を行う（ステップＳ４）。現在の時刻が省エネモードの時間帯である場合（ステップＳ４のＹＥＳ）、省エネモードの開始時刻であるか否かの判断に移行する（ステップＳ５）。即ち、高温水循環による清浄化は、通常モードから省エネモードに切り替わるタイミングで実施される。
【０１０６】
このように、省エネモードに切り替わるタイミングで高温水循環処理を行うのは、通常モードの設定温度と高温水循環処理の設定温度の温度差の方が、省エネモードの設定温度と高温水モードの設定温度の温度差よりも少ないためである。即ち、既述のように、ユーザへの利便性から飲料水供給装置２の使用量が少ない時間帯として、省エネモード時に清浄化を行うようにしているが、省エネモードに移行した後では、温水タンク４０内の飲料水４の温度が通常モードに比べて低温になっているので、その分余計に加熱を行わなければならない。よって、清浄化処理は、省エネモードへの移行タイミングに合わせて実行させることとしている。また、その他には、高温水循環による清浄化処理に一定の時間を要するため、高温水循環処理中に省エネモードの設定時間が終了するのを防止している。
【０１０７】
省エネモードの開始時刻である場合（ステップＳ５のＹＥＳ）には、インターバルタイマーがタイムアップしているか否かの判断を行う（ステップＳ６）。既述のように、タイマ−１６０を参照して、ステップＳ１で設定した初期値が経過したか否かを判断する。そして、インターバルタイマーがタイムアップしている場合（ステップＳ６のＹＥＳ）には、高温水循環処理を行い（ステップＳ７）、再びステップＳ３に戻る。
【０１０８】
また、省エネの時間設定がされていない場合（ステップＳ３のＮＯ）には、インターバルタイマーがタイムアップしているか否かの判断を行い（ステップＳ８）、タイムアップしている場合（ステップＳ８のＹＥＳ）には、現在の時刻が、予め設定されている所定時刻Ｐとして、例えば午前２時であるか否かの判断を行う（ステップＳ９）。即ち、省エネモードの時間設定を行っていない場合の高温水循環処理は、初期値として設定された３日（７２時間）経過後の所定時刻Ｐに行う構成である。そして、現在の時刻が所定時刻Ｐ（午前２時）である場合（ステップＳ９のＹＥＳ）には、高温水循環処理を行う（ステップＳ１０）。
【０１０９】
高温水循環処理が終了したら、通常モードとして、温水タンク４０内の飲料水４を設定された温度に維持させる（ステップＳ１１）とともに、冷水タンク８内の飲料水４を設定された温度に維持させる（ステップＳ１２）。
【０１１０】
インターバルタイマーがタイムアップとなっていない場合（ステップＳ８のＮＯ）、又はタイムアップしていても所定時刻Ｐになっていない場合（ステップＳ９のＮＯ）には、通常モードとしてステップＳ１１に移行する。
【０１１１】
また、省エネモードの設定されている場合であっても（ステップＳ３のＹＥＳ）、省エネモードの時間帯でない場合（ステップＳ４のＮＯ）や、省エネモードの実施でない場合（ステップＳ１３のＮＯ）には、ステップＳ１１に移行する。
【０１１２】
また、省エネ時間帯であっても（ステップＳ４のＹＥＳ）、高温水循環を行わない場合（ステップＳ５のＮＯ、又はステップＳ６のＮＯ）であって、省エネＳＷ１１６が押下されて省エネの実行入力がされている場合（ステップＳ１３のＹＥＳ）には、省エネモードに移行し、温水タンク４０内の飲料水４を省エネモードの設定温度に管理する（ステップＳ１４）とともに、冷水タンク８内の飲料水４を省エネモードの設定温度に管理する（ステップＳ１５）。
【０１１３】
通常モードの温度管理では、表示・操作部７４で設定された温度に維持させるように、温水タンク４０では温水センサ５４で水温を計測して、必要に応じて温水ヒータ４２を動作させる。冷水タンク８では冷水センサ２０で水温を計測して圧縮機２４の動作制御を行っている。
【０１１４】
また、省エネモードでは、温水タンク４０内の飲料水４の温度を通常モードより低い所定温度に管理するとともに、冷水タンク８内の飲料水４の温度を通常モードより高い所定温度に管理している。これにより、飲料水４の温度管理において、温水ヒータ４２や圧縮機２４の動作時間が短縮されることで省エネとなるとともに、省エネモードであっても低温及び高温の飲料水４の供給が可能である。
【０１１５】
次に、給水又は給湯の要求に関する制御に移行する（図８）。
【０１１６】
通常モード及び省エネモードのいずれの運転状態においても、給水入力が行われたか否かを判断する（ステップＳ１６）。この給水入力の判断は、例えば給水ＳＷ１４０が押下されたか否かの検出に基づいて判断する。そして、給水入力がされている場合（ステップＳ１６のＹＥＳ）には、給水可能温度か否かの判断に移行する（ステップＳ１７）。給水可能温度は、飲料水供給装置２に予め設定された温度である。この給水可能温度は、例えば高温水循環動作直後に給水要求がされた場合、冷水供給口３８からユーザが予期せぬ高温の飲料水４が出る可能性があるので、予め定められた所定温度以上であることを冷水センサ２０が検出した場合には、給水ができないようにしている。
【０１１７】
そして、冷水タンク８内の飲料水４が給水可能温度である場合（ステップＳ１７のＹＥＳ）には、冷水電磁弁３４を開いて給水を行う（ステップＳ１８）とともに、インターバルタイマーのカウントタイムを所定時間Ｔｘ増加させる（ステップＳ１９）。この所定時間Ｔｘの増加は、例えば、給水要求の回数や飲料水４の供給量等に応じて、インターバルタイムを増やすようにしてもよい。即ち、冷水タンク８内の飲料水４の清浄化は、低温の飲料水４が長期間使用されずに冷水タンク８内に停滞することで、水質が変化するのを防ぐために行うものであり、所定時間として例えば、７２時間毎に高温水循環による清浄化処理を行うタイミングとしている。しかし、給水が行われていれば冷水タンク８内に飲料水４が停滞しない。そこで、例えば、給水要求の回数や飲料水４の供給量等に応じて、清浄化処理のインターバルタイムを増やすようにしてもよい。
【０１１８】
また、給水可能温度ではないが（ステップＳ１７のＮＯ）、例えばユーザの操作によりロック解除ＳＷ１４２が押下されている等の場合（ステップＳ２０のＹＥＳ）には、給水を可能にしてもよい。
【０１１９】
インターバルタイマーのカウントタイムを所定時間Ｔｘ増加させた後（ステップＳ１９）、給水の入力操作がされていない場合（ステップＳ１６のＮＯ）、給水可能温度でなく（ステップＳ１７のＮＯ）且つロック解除がされていない場合（ステップＳ２０のＮＯ）には、給湯入力がされたか否かの判断に移行する（ステップＳ２１）。この判断では、例えば、ユーザにより給湯ＳＷ１３８が押下されたか否かを検出して判断する。
【０１２０】
給湯処理では、ロック解除の有無（ステップＳ２２）を判断して、給湯を行い（ステップＳ２３）、再びステップＳ３に戻る。また、給湯入力がされていない場合（ステップＳ２１のＮＯ）やロック解除がされない場合（ステップＳ２２のＮＯ）にも、ステップＳ３に戻る。
【０１２１】
なお、上記のインターバルタイマーの初期値や省エネ開始時間、及び省エネ時間以外での高温水循環処理開始時間等は飲料水供給装置２に予め設定されている一例であって、ユーザが任意に設定し、又は変更することが可能である。
【０１２２】
次に、高温水循環を利用した飲料水の清浄化処理について、図９を参照する。図９は、サブルーチンである高温水循環による清浄化の処理手順を示すフローチャートである。
【０１２３】
この飲料水供給装置２の高温水循環による清浄化処理について総括的に説明すると、冷水タンク８内の飲料水４の温度を清浄化温度Ｔｗとして、例えば８５℃以上の状態で、清浄化時間Ｘとして、例えば３０分間維持させる（ステップＳ１１３〜ステップＳ１１４）。冷水タンク１０内の飲料水４を上記の温度に維持させるため、加熱側である温水タンク４０内の飲料水４の温度を所定温度Ｔｈとして、例えば９３℃以上に維持させる（ステップＳ１０９〜ステップＳ１１０）。
【０１２４】
また、清浄化処理の異常判定として、所定時間Ｘｅが経過しても冷水タンク８内の飲料水４の温度が清浄化温度Ｔｗに到達しない場合等には、高温水循環異常の報知を行う（ステップＳ１０１〜Ｓ１０２、ステップＳ１１２〜Ｓ１１３、Ｓ１１５〜Ｓ１１６）。
【０１２５】
そこで、高温水循環動作について、各ステップ順に説明する。
【０１２６】
高温水循環の動作に入ると、異常判定タイマーとして例えば、タイマー１６０をリセットし（ステップＳ１０１）、スタートさせる（ステップＳ１０２）。
【０１２７】
次に、冷水タンク８内の飲料水４の温度を上昇させるため、飲料水４の冷却手段である圧縮機２４を停止させる（ステップＳ１０３）とともに、温水ヒータ４２への給電制御をＯＮさせ（ステップＳ１０４）、温水タンク４０内の飲料水４を加熱する。そして、温水センサ５４の温度検出により、温水タンク４０内の飲料水４の温度が所定温度Ｔｂとして、例えば９０℃以上になっているか否かの判断を行う（ステップＳ１０５）。この９０℃の判断は、熱対流を発生させるための高温側の準備温度であり、また、温水ヒータ４２が高温水循環処理の加熱手段として機能するか否かを確認することもできる。
【０１２８】
判断の結果、温水タンク４０内の飲料水４の温度が所定温度Ｔｂ以上である場合（ステップＳ１０５のＹＥＳ）には、バイパス管６２に設けたバイパス弁６０を開き（ステップＳ１０６）、既述の循環回路を形成する。そして、清浄化時間Ｘを計測する循環タイマーとして、例えばタイマー１６０をリセットし（ステップＳ１０７）、スタートさせる（ステップＳ１０８）。
【０１２９】
次に、温水センサ５４の検出温度により、温水タンク４０内の飲料水４が所定温度Ｔｈ以上であるか否かを判定し（ステップＳ１０９）、所定温度Ｔｈとして例えば９３℃以上である場合（ステップＳ１０９のＹＥＳ）には、温水ヒータ４２を停止させ（ステップＳ１１０）、所定温度Ｔｈに達しない場合（ステップＳ１０９のＮＯ）には、温水ヒータ４２を作動させる（ステップＳ１１１）。
【０１３０】
また、異常判定に関しタイマー１６０により、高温水循環動作の開始（ステップＳ１０２）から所定時間Ｘｅとして、例えば、２時間が経過したか否かを判断する（ステップＳ１１２）。所定時間Ｘｅが経過していない場合（ステップＳ１１２のＮＯ）には、冷水センサ２０により、冷水タンク８内の飲料水４の温度が清浄化温度Ｔｗ以上であるか否かの判断を行う（ステップＳ１１３）。清浄化温度Ｔｗ以上でない場合（ステップＳ１１３のＮＯ）には、ステップＳ１０７に戻り、清浄化温度Ｔｗ以上である場合（ステップＳ１１３のＹＥＳ）には、循環タイマーの計測開始（ステップＳ１０８）から清浄化時間Ｘが経過したか否かの判断に移行する（ステップＳ１１４）。そして、冷水タンク８内の飲料水４が清浄化温度Ｔｗ以上で清浄化時間Ｘが経過するまで、ステップＳ１０９〜ステップＳ１１４を繰り返す。
【０１３１】
ところで、ステップＳ１０５において、温水タンク４０内の飲料水４の温度が所定温度Ｔｂ未満である場合（ステップＳ１０５のＮＯ）には、異常判定タイマーにより所定時間Ｘｅが経過したか否かの判断を行い（ステップＳ１１５）、Ｘｅ時間が経過していない場合（ステップＳ１１５のＮＯ）には、ステップＳ１０５に戻り、また、既にＸｅ時間が経過した場合（ステップＳ１１５のＹＥＳ）には、温水ヒータ４２に異常がある等と判断して、高温水循環異常報知処理を行う（ステップＳ１１６）。
【０１３２】
また、ステップＳ１１２において、異常判定タイマーにより所定時間Ｘｅが経過した場合（ステップＳ１１２のＹＥＳ）、即ち、高温水循環動作に移行してからＸｅ時間が経過しても、冷水タンク８内の飲料水４に対し、清浄化温度Ｔｗで清浄化時間Ｘの条件を満たすことができない場合にも、例えば、バイパス管６２やバイパス弁６０の異常の他、冷水タンク８内において、温水がショートサイクル状態である等、高温水循環異常であるとして、ステップＳ１１６の異常報知を行う。
【０１３３】
そして、高温水循環について、タイマー１６０により、所定時間Ｘが経過したと判断した場合（ステップＳ１１４のＹＥＳ）、又は異常報知処理（ステップＳ１１６）が行われた場合には、バイパス管６２に設けたバイパス弁６０を閉じる（ステップＳ１１７）。そして、インターバルタイマーに初期値をセットし（ステップＳ１１８）、カウントダウンを開始させて（ステップＳ１１９）、高温水循環動作を終了させる。
【０１３４】
斯かる構成により、冷水タンク８内の飲料水４に対し、簡易な構成で清浄化に適した温度に維持させることができ、所定時間が経過しても必要温度に達しない場合には、清浄化の処理に異常があることを報知するので、十分な清浄化処理を行うことができる。
【０１３５】
〔第２の実施の形態〕
【０１３６】
次に、第２の実施の形態について、図１０を参照する。図１０は、第２の実施形態に係る飲料水供給装置の冷水タンク周辺の構成及び筐体に形成されたパネル部内部の構成を示す図である。図１０において、図１及び図３と同一部分には同一符号を付し、説明を省略する。なお、図１０に示す冷水タンク内の給水部分の構成は一例であって、これに限定されるものではない。
【０１３７】
この実施の形態では、ガロンボトル６からの飲料水４の供給に対し、冷水タンク８内の飲料水４の水位に応じてその供給を制限するとともに、冷水タンク８に溜められた飲料水４とガロンボトル６内の飲料水４との接触を遮断するセパレータフロートを備えた構成である。
【０１３８】
冷水タンク８の内側上部には、ガロンボトル６を支持する支持壁の外周側に蓋部８０が設置されている。この蓋部８０の中央には、既述の突起６８が形成されている。この突起６８は、例えば、円柱状であって、その上部側面に飲料水４の取込口部８２が形成されている。また、突起６８の下端は、冷水タンク８に開口されており、飲料水取込部８４を構成している。このような構成により、ガロンボトル６から流出した飲料水４は、突起６８の取込口部８２に入り、飲料水取込部８４から冷水タンク８内へと供給される。
【０１３９】
この飲料水取込部８４の下部側には、冷水タンク８への飲料水４の流入量制限手段、及びガロンボトル６内の飲料水４と冷水タンク８内の飲料水４との接触を遮断する遮断手段として、セパレータフロート８６が設置されている。このセパレータフロート８６は、フロートカバー８８の内部に設置され、冷水タンク８内の飲料水４の水位に応じて浮き沈みする。フロートカバー８８は、例えば、円周及び底部が格子構造になっており、飲料水４はその格子間から冷水タンク８に流入する。フロートカバー８８は蓋部８０の底部に取り付けられ、蓋部８０とフロートカバー８８とはロック機構９０によって着脱可能である。また、フロートカバー８８の底部中央には、セパレータフロート８６の軸部９２を挿通させるための孔９４が設けられている。
【０１４０】
これにより、冷水タンク８の飲料水（冷水）４の水位が上昇してくると、セパレータフロート８６が押し上げられ、その上部が蓋部８０の飲料水取込部８４に接すると、ガロンボトル６から飲料水４の供給が停止する。また、冷水タンク８内の飲料水４の水位が下がって、セパレータフロート８６の上面が蓋部８０の飲料水取込部８４から離れると、例えば、空気取入口１４から取り入れられた空気が、飲料水取込部８４よりガロンボトル６内に入る。この空気の侵入により、ガロンボトル６から飲料水４が冷水タンク８に供給される。冷水タンク８内の水位が上昇して、セパレータフロート８６が飲料水取込部８４を塞ぐと、再びガロンボトル６からの飲料水４の流入が停止される。これにより、冷水タンク８内の飲料水４とガロンボトル６内の飲料水４との遮断が可能となる。即ち、ガロンボトル６に封入された飲料水４と冷水タンク８内で外気と接触した飲料水４との接触を防止することができる。
【０１４１】
また、冷水タンク８内の飲料水４を上下層に分離する分離板１６は、その中央部分に段差を設け、凹形に形成している。このように形成することで、セパレータフロート８６を内部に備えたフロートカバー８８との接触を避けることができ、また、分離板１６の端部の設置高さは、冷却手段である蒸発器１８よりも高くできるので、冷水タンク８内の冷水と温水とを分離することができる。
【０１４２】
冷水タンク８内の飲料水４とガロンボトル６内の飲料水４との分離から生じる有利な効果として、例えば以下に挙げるものがある。
【０１４３】
(1) 後述するの高温水循環処理による清浄化処理において、冷水タンク８内の飲料水４の温度の上昇に伴ってガロンボトル６内の水温が上昇するのを防止でき、ガロンボトル６内に細菌等が繁殖するのを防止できる。
【０１４４】
(2) 遮断手段であるセパレータフロート８６により、ガロンボトル６内の飲料水４の温度上昇に伴ってガロンボトル６内の空気の温度が上昇するのを防止することができる。即ち、ガロンボトル６内の飲料水４の温度が上昇するとともに内部の空気が膨張し、その膨張した体積分の飲料水４が冷水タンク８側に余計に流れ込むことになるのを防止することができる。これにより、例えば、高温水循環を実行した場合、ガロンボトル６側から低温の飲料水４が冷水タンク８内に流入してその飲料水４の水温の上昇を妨げ、長時間継続して余分に加熱する必要がなく、不経済となるのを防止できる。
【０１４５】
次に、筐体３に形成した張り出し部分の構成について説明する。
【０１４６】
図１０に示すように、筐体３の上部前面側を張り出させ、上方に向かって傾斜させたパネル部７２の背面側には、冷水タンク８との間に空間部９８が形成されており、この空間部９８には、既述の制御装置７０が冷水タンク８に隣接して設置されている。また、空間部９８の下部側には、冷水電磁弁３４及び、図示しない温水電磁弁４８も設置されている。斯かる構成から、冷水タンク８の設置位置の高さは、筐体３のパネル部７２に設置した表示・操作部７４と同等の高さ位置に設定されている。
【０１４７】
〔他の実施の形態〕
【０１４８】
上記実施の形態において、図１に示す分離板１６は、平面状であるが、これに限られず、セパレータフロートの構成に応じて、凹部を形成したり、段差を設ける等、形状を変化させてもよい。また、斯かる構成によっても、温水タンク４０側への飲料水４の流入が可能であり、また、ショートサイクルを防止できる。さらに、冷却された飲料水４が温水タンク４０側へと流入するのを防止することもできる。
【実施例】
【０１４９】
次に、飲料水供給装置の実施例について、図１１、図１２、図１３、図１４及び図１５を参照する。図１１は、飲料水供給装置の外観構成を示す正面図、図１２は、飲料水供給装置の右側面の構成を示す図、図１３は飲料水供給装置の背面側の構成を示す図、図１４は飲料水供給装置の本体に構成されたガロンボトルの載置部の構成を示す図、図１５は飲料水供給装置の内観図である。なお、図１１〜図１５において、図１〜図４と同一部分には同一符号を付し、その説明を省略する。また、この実施例に示す飲料水供給装置の構成は一例であって、これに限定されるものではない。
【０１５０】
この飲料水供給装置２は、その天井側に飲料水４の供給手段であるガロンボトル６が設置されている。ガロンボトル６から供給された飲料水４は、飲料水供給装置２の内部で加熱又は冷却され、それぞれ所定の温度で溜められている。飲料水供給装置２の筐体３上部前面側には、上方に傾斜させた傾斜面部としてパネル面７２が形成され、そのパネル面７２には表示・操作部７４が配置されている。
【０１５１】
また、飲料水供給装置２の筐体３において、パネル面７２の下部側には、冷水供給口３８及び温水供給口５２が設置された給水窓部７６が形成されている。この給水窓部７６の下部側には、飲料水４の給水時にコップ等の容器を置く載置部として、受け部７８が構成されている。この受け部７８の載置面の大きさは、給水窓部７６の深さに合わせて構成してもよく、また、図１２に示すように、この受け部７８は、筐体３の前面板から突出させるようにしてもよく、例えば、用途に応じて引き出しが可能なように構成してもよい。
【０１５２】
飲料水供給装置２の背面側には、図１３に示すように、冷媒を蒸発器１８側へと循環させる冷媒管３０を放熱させる放熱部１７０が設けられており、例えば、筐体３の横幅に合わせて所定の長さずつ、上下が並行になるように往復させて配置されている。また、この冷媒管３０内の冷媒を放熱させるための放熱部材１７２が、冷媒管３０の直線部分に対して垂直に交差するように、筐体３の上部側から下部側に向けて複数本設置されている。  
【０１５３】
飲料水供給装置２の天井側には、図１４に示すように、ガロンボトル６を所定位置に配置させる載置部６４、ガロンボトル６の水取出し口１２を挿入する受水口１０、ガロンボトル６を所定の位置に導くとともに支持する支持壁６６が備えられている。
【０１５４】
そして、図１５に示すように、飲料水供給装置２の内部には、冷水タンク８、温水タンク４０、冷却装置２２である圧縮機２４、乾燥機２６等が設置されている。また、冷水タンク８と温水タンク４０とに接続された給水管４６やバイパス管６２、温水タンク４０から飲料水４等を飲料水供給装置２の外部へと排水するための排水管５８が設置されている。温水タンク４０には、温水ヒータ４２、温水センサ５４、空焚きスイッチ１７４等が設置されている。
【０１５５】
〔他の実施例〕
【０１５６】
次に、他の実施例について、図１６を参照する。図１６は、バックインボックスを用いた例を示す図である。なお、図１６において、図２、図１１及び図１２と同一構成には同一の符号を付し、説明を省略している。
【０１５７】
この実施例における飲料水供給装置２では、飲料水４を供給する手段として、例えば、内部に、飲料水４が充填された樹脂製の容器を備え、外部を紙製の箱等で覆った、バックインボックス２００を利用してもよい。この場合、飲料水供給装置２側の筐体３の前面側に飲料水取込部２０２を構成してもよい。斯かる構成によっても、本発明の目的を達成することができ、上記と同様の効果を得ることができる。
【０１５８】
以上説明したように、本発明の最も好ましい実施の形態等について説明したが、本発明は、上記記載に限定されるものではなく、実用新案登録請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１５９】
本発明は、飲料水ボトルから供給された飲料水を冷却し又は、加熱して提供する飲料水供給装置に関し、その筐体の前面側を傾斜させて、その傾斜面部に表示・操作部を備えることにより、飲料水供給装置の使用者が、無理な姿勢を取らずに飲料水の給水又は給湯操作を行え、操作性が高められるとともに、給湯操作時の火傷等を避けることができ、有用である。
【符号の説明】
【０１６０】
２  飲料水供給装置
６  ガロンボトル
８  冷水タンク
１２  水取出し口
４０  温水タンク
４２  温水ヒータ
４４  開口部
６４  載置部
６６  支持壁
６８  突起
７０  制御装置
７２  パネル面
７４  表示・操作部
７６  給水窓部
７８  受け部
８０  蓋部
８２  取込口部
８４  飲料水取込部
１７０  放熱部
１７２  放熱部材
【図１】
2011102154.tif 000003
【図２】
2011102154.tif 000004
【図３】
2011102154.tif 000005
【図４】
2011102154.tif 000006
【図５】
2011102154.tif 000007
【図６】
2011102154.tif 000008
【図７】
2011102154.tif 000009
【図８】
2011102154.tif 000010
【図９】
2011102154.tif 000011
【図１０】
2011102154.tif 000012
【図１１】
2011102154.tif 000013
【図１２】
2011102154.tif 000014
【図１３】
2011102154.tif 000015
【図１４】
2011102154.tif 000016
【図１５】
2011102154.tif 000017
【図１６】
2011102154.tif 000018